【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
同期発電機（１）、特に、電流を発生させるギアレス風力タービン（１００）のリング状多極同期発電機（１）であって、
回転子（４）と、
歯（８）、および、前記歯（８）の間に配置され固定子巻線を受け入れるスロット（１０）を有する固定子（６）と、
を有し、
前記固定子（６）は、固定子セグメント（３１〜３４）に、円周方向に分割されており、前記固定子セグメント（３１〜３４）は、おのおの、複数の歯（８）およびスロット（１０）を有し、少なくとも２つの固定子セグメント（３１〜３４）が、円周方向に互いにオフセットされている、
同期発電機（１）。
【請求項２】
少なくとも１つの歯（８）が固定子極を形成し、２つの固定子極が極対を形成し、各固定子セグメント（３１〜３４）の極対数が２の倍数、特に６の倍数である、請求項１に記載の同期発電機（１）。
【請求項３】
４つの固定子セグメント（３１〜３４）が設けられ、かつ、前記固定子セグメント（３１〜３４）は２つのセグメントグループ（３１、３３；３２、３４）に分けられ、各セグメントグループ（３１、３３；３２、３４）の極対数が４の倍数であるか、または、セグメントグループ（３１、３３；３２、３４）の前記固定子セグメント（３１〜３４）同士が異なる数の極対を有する、請求項１または２に記載の同期発電機（１）。
【請求項４】
いずれの場合にも１つの固定子セグメント（３１〜３４）のスロット（１０）および歯（８）は、等間隔に配置されており、
前記少なくとも２つの固定子セグメント（３１〜３４）は、隣接する固定子セグメント（３１〜３４）の隣接する歯（８）または前記隣接する固定子セグメント（３１〜３４）の隣接するスロット（１０）の間隔が、同じ固定子セグメント（３１〜３４）の隣接する歯（８）またはスロット（１０）とは互いに異なるように、円周方向に互いにオフセットされている、
請求項１〜３のいずれか一項に記載の同期発電機（１）。
【請求項５】
第１の固定子セグメント（３１）の第１および第２のスロット（１０）、または、
前記第１の固定子セグメント（３１）の第１および第２の歯（８）、の互いの平均間隔がｎ×ａであり、ここで、
ａは、前記第１の固定子セグメント（３１）の２つの隣接するスロット（１０）または歯（８）の平均間隔であり、
ｎは、前記第１および第２のスロット（１０）の間のスロット（１０）の数、または、前記第１および第２の歯（８）の間の歯（８）の数であり、かつ、１未満であり、
前記第１のスロット（１０）の、第２の固定子セグメント（３２）上にあるさらなるスロット（１０）に対する平均間隔、または、
前記第１の歯（８）の、前記第２の固定子セグメント（３２）上にあるさらなる歯（８）に対する平均間隔が、ｎ×ａ＋ｖまたはｎ×ａ−ｖであり、ここで、ｖは、前記第１および第２の固定子セグメント（３１、３２）の間の前記オフセットを表し、かつ、０よりも大きく、ａ未満である、
請求項１〜４のいずれか一項に記載の同期発電機（１）。
【請求項６】
前記オフセット（ｖ）の値は、０．２×ａ〜０．３×ａ、特に、０．２５ａである、
請求項１〜５のいずれか一項に記載の同期発電機（１）。
【請求項７】
各固定子セグメント（３１〜３４）は、前記固定子巻線の一部を巻線セグメント（５１〜５４）として受け入れ、非隣接の固定子セグメント（３１、３３；３２、３４）、特にセグメントグループ（３１、３３；３２、３４）の、巻線セグメント（５１、５３；５２、５４）が互いに相互接続され、および／または、前記巻線セグメント（５１〜５４）は、第１および第２の整流器（６１〜６４）に交互に接続されており、前記２つの整流器は、好ましくは、共通直流リンクに電流を送り、特に、各セグメントグループ（３１、３３；３２、３４）は、いずれの場合にも、Ｂ１２ブリッジ型の整流器に接続されている、
請求項１〜６のいずれか一項に記載の同期発電機（１）。
【請求項８】
非隣接の固定子セグメント（３１、３３；３２、３４）の巻線セグメント（５１、５３；５２、５４）が、互いに電気的に直列に接続されている、
請求項１〜７のいずれか一項に記載の同期発電機（１）。
【請求項９】
前記固定子巻線または前記巻線セグメントは、相ごとに巻線相（８５０）を有し、
巻線相（８５０）は、第１の固定子セグメント（３１）において第１のスロット（８５１）に通して配置され、かつ、第２のスロット（８５２）に逆方向に通されており、
前記第１および第２のスロット（８５１、８５２）に通して配置することは、特に、少なくとも１つの、特に３つの、ループが、前記２つのスロット（８５１、８５２）に通されて、ひいては前記２つのスロット（８５１、８５２）の間の前記歯（８）の周囲に配置されるように繰り返され、その結果、電磁的に有効な４回の巻き数が提供されており、
その後、前記巻線相（８５０）の配置は、前記巻線相（８５０）がさらなる固定子セグメント（８３３）の第１のスロットに渡されるか、この第１のスロットにおいて前記さらなる固定子セグメントの巻線相に接続されるか、または、出力に接続されるまで、第３および第４のスロット（８５３、８５４）、ならびに、場合によってはそれに応じてさらなるスロット（８５５、８５６）において、同様に引き継がれる、
請求項１〜８のいずれか一項に記載の同期発電機（１）。
【請求項１０】
前記第１および第２のスロット（８５１、８５２）の間、または、前記少なくとも１つのループに、５つのスロット（８）および６つの歯（１０）が位置している、
請求項１〜９のいずれか一項に記載の同期発電機（１）。
【請求項１１】
巻線相（８５０）が、セグメントグループ（３１、３３；３２、３４）の、１つの固定子セグメント（３１〜３４）および／またはすべての固定子セグメント（３１、３３；３２、３４）を通して、連続的に巻回されている、
請求項１〜１０のいずれか一項に記載の同期発電機（１）。
【請求項１２】
前記固定子（６）および／または前記固定子巻線は、特に、前記同期発電機（１）の回転軸（２）に対して点対称である、
請求項１〜１１のいずれか一項に記載の同期発電機（１）。
【請求項１３】
前記固定子（６）の前記スロット（１０）はすべて同一であり、前記固定子セグメント（３１〜３４）の前記オフセット（ｖ）は、相応に適合させた歯（８＋、８−）、特に、隣接する固定子セグメント（３１〜３４）の接触領域において円周方向にサイズが拡大または縮小された歯（８＋、８−）、によって実現されている、
請求項１〜１２のいずれか一項に記載の同期発電機（１）。
【請求項１４】
特に請求項１〜１３のいずれか一項に記載の同期発電機（１）の、固定子薄板スタックを形成するための組立用の複数の固定子薄板を含む薄板セットであって、各固定子薄板が、スロット（１０）および歯（８）を生成するための複数のスロット領域および複数の歯領域を有し、前記薄板セットは、
それぞれ同一のスロット（１０）および歯（８）を生成するための歯領域およびスロット領域を有する少なくとも１つの標準薄板と、
円周方向に拡幅された歯（８＋）もしくは歯領域を生成するための、または、円周方向に拡幅されたスロットもしくはスロット領域を形成するための、拡大領域（３８）を有する少なくとも１つの拡大薄板と、
円周方向に縮幅された歯（８−）もしくは歯領域を形成するための、または、円周方向に縮幅されたスロットまたはスロット領域を形成するための、縮小領域（３６）を有する少なくとも１つの縮小薄板と、
を備える、薄板セット。
【請求項１５】
各拡大薄板の拡大領域（３８）が、円周方向に、特に、最初または最後の約３分の１、偏心しており、および／もしくは、
前記拡大領域（３８）は、前記円周方向に鏡面対称であり、
ならびに／または、
各縮小薄板の縮小領域（３６）が、円周方向に、特に、最初または最後の約３分の１、偏心しており、および／もしくは、
前記縮小領域（３６）は、円周方向に鏡面対称である、
請求項１４に記載の薄板セット。
【請求項１６】
請求項１４に係る薄板セットの標準薄板、拡大薄板、および縮小薄板からなる第１の薄板層を形成するステップと、
前記拡大薄板は、固定子セグメントが正のオフセットで互いに隣接する領域に配置され、
前記縮小薄板は、固定子セグメントが負のオフセットで互いに隣接する領域に配置されている、
第２の薄板層を形成するステップと、
拡大薄板および縮小薄板が、前記拡大薄板および縮小薄板の上側が下方を向きかつ前記拡大薄板および縮小薄板の下側が上方を向くように、前記第１の層の前記拡大薄板および縮小薄板に対してそれぞれ反転され、
前記拡大薄板および縮小薄板は、おのおの、前記拡大薄板および縮小薄板の拡大領域または縮小領域で互いに重なり合っており、その結果、前記拡大領域または縮小領域が偏心して配置されていることによって、前記薄板がそれぞれ部分的に重なっている、
を有する、固定子薄板スタックの製造方法。
【請求項１７】
請求項１〜１３のいずれか一項に記載の同期発電機（１）を有する風力タービン（１０１）。